【手続補正書】
【提出日】平成24年5月28日(2012.5.28)
【手続補正１】
【補正対象書類名】明細書
【補正対象項目名】０００１
【補正方法】変更
【補正の内容】
【０００１】
本発明は、ヘッドレールからそれぞれ垂下された２枚の遮蔽部材を単一の操作コードの操作により昇降させる日射遮蔽装置に関するものである。
【手続補正２】
【補正対象書類名】明細書
【補正対象項目名】００１８
【補正方法】変更
【補正の内容】
【００１８】
本発明の第４の観点の日射遮蔽装置では、回転部材の一方向への回転により第１カムが第１入力軸ととともに回転すると、第１腕部が第１係合部を第１入力軸の半径方向外側に突出するように回転させるので、第１係合部が第１出力ドラムの第１被係合部と係合し、第１クラッチドラムの回転力が第１出力ドラムに伝達され、また回転部材の他方向への回転により第２カムが第２入力軸とともに回転すると、第２腕部が第２係合部を第２入力軸の半径方向外側に突出するように回転させるので、第２係合部が第２出力ドラムの第２被係合部と係合し、第２クラッチドラムの回転力が第２出力ドラムに伝達される。この結果、第１及び第２クラッチが第１及び第２入力軸の長手方向に延びないので、第１及び第２クラッチの全長を短縮することができる。また第１遮蔽部材の自重により第１出力軸が第１遮蔽部材を繰出す方向に回転し、この第１出力ドラムの回転により第１係合部が第１入力軸の半径方向内側に引込むので、上記第１出力軸の回転力は第１入力軸に伝達されない。更に第２遮蔽部材の自重により第２出力軸が第２遮蔽部材を繰出す方向に回転し、この第２出力ドラムの回転により第２係合部が第２入力軸の半径方向内側に引込むので、第２出力軸の回転力は第２入力軸に伝達されない。この結果、第１及び第２遮蔽部材の昇降の独立性が保たれる。
【手続補正３】
【補正対象書類名】明細書
【補正対象項目名】００２１
【補正方法】変更
【補正の内容】
【００２１】
本発明の第７の観点の日射遮蔽装置では、第１係合部が第１入力軸の半径方向内側に引込むように付勢する第１戻しばね機構を第１係合部に設け、第２係合部が第２入力軸の半径方向内側に引込むように付勢する第２戻しばね機構を第２係合部に設けたので、第１遮蔽部材の自重により第１出力軸が第１遮蔽部材を繰出す方向に回転し、第１出力軸の回転により第１出力ドラムが回転しても、第１戻しばね機構が第１係合部を第１入力軸の半径方向内側に引込めた状態に保つので、第１出力軸の回転力は第１入力軸に伝達されない。また第２遮蔽部材の自重により第２出力軸が第２遮蔽部材を繰出す方向に回転し、第２出力軸の回転により第２出力ドラムが回転しても、第２戻しばね機構が第２係合部を第２入力軸の半径方向内側に引込めた状態に保つので、第２出力軸の回転力は第２入力軸に伝達されない。この結果、第１及び第２遮蔽部材の昇降の独立性を確実に保つことができる。
【手続補正４】
【補正対象書類名】明細書
【補正対象項目名】００３４
【補正方法】変更
【補正の内容】
【００３４】
上記第１連結溝４１ｈは、第１左端溝４１ｆから第１右端溝４１ｇに向って左回りの螺旋状に形成される。また第１左端溝４１ｆには第１円筒カム４１ａの左端側に湾曲する第１左湾部４１ｋが形成され、第１連結溝４１ｈの第１左端溝４１ｆへの接続部は第１左端溝４１ｆの第１左湾部４１ｋの一端に一致して形成される。そして第１左端溝４１ｆと第１連結溝４１ｈとが略一直線となるように、第１左端溝４１ｆと第１連結溝４１ｈとが接続される。また第１右端溝４１ｇには第１円筒カム４１ａの右端側に湾曲する第１右湾部４１ｍが形成され、第１Ｖ字溝４１ｉの第１右端溝４１ｇへの接続部は第１右端溝４１ｇの第１右湾部４１ｍの一端に一致して形成される。そして第１右端溝４１ｇと第１Ｖ字溝４１ｉの端部とが略一直線となるように、第１右端溝４１ｇと第１Ｖ字溝４１ｉとが接続される。また第１Ｖ字溝４１ｉの一端は第１左端溝４１ｆと第１連結溝４１ｈとの接続部近傍で第１連結溝４１ｈに接続され、第１Ｖ字溝４１ｉの他端は第１右端溝４１ｇと第１連結溝４１ｈとの接続部近傍で第１右端溝４１ｇに接続される。第１凹部４１ｊは第１転動体４１ｄのほぼ半分を収容可能な大きさに形成される。第１転動体４１ｄの残りの半分は第１ガイド溝４１ｂに収容される。更に第１Ｖ字溝４１ｉは、第１凹部４１ｊに収容された第１転動体４１ｄが第１円筒カム４１ａの回転により第１右端溝４１ｇではなく第１連結溝４１ｈに導かれるように若干変形したＶ字状に形成される。これにより、操作コード１４を一方向に僅かに操作して、第１巻取りドラム２１ｃを一方向に回転させ第１昇降コード２１ｄにより第１生地１１を上昇させた後に、操作コード１４から手を離すと、第１ストッパ４１は第１昇降コード２１ｄを繰出して第１生地１１を下降させる方向への第１巻取りドラム２１ｃの回転を停止し、この状態から操作コード１４を一方向に僅かに操作して、第１巻取りドラム２１ｃを再び一方向に回転させ第１昇降コード２１ｄにより第１生地１１を再び上昇させた後に、操作コード１４から手を離すと、第１ストッパ４１は第１昇降コード２１ｄを繰出して第１生地１１を下降させる方向への第１巻取りドラム２１ｃの回転を許容するように構成される。
【手続補正５】
【補正対象書類名】明細書
【補正対象項目名】００３５
【補正方法】変更
【補正の内容】
【００３５】
一方、第２ストッパ４２は、第１ストッパ４１と同一に構成され、操作コード１４の他方向への僅かな操作により第２生地１２を下降状態又は停止状態に切換えるように構成される（図１、図５及び図７）。具体的には、第２ストッパ４２は、第２出力軸２２ｂに嵌着され外周面に第２カム溝４２ｅが形成された第２円筒カム４２ａと、この第２円筒カム４２ａを収容するようにレール本体１８に取付けられ第２出力軸２２ｂの軸方向に延びる第２ガイド溝４２ｂが形成された第２カム用ケース４２ｃと、第２カム溝４２ｅと第２ガイド溝４２ｂとの重なる空間内を転動する第２転動体４２ｄとを有する（図１）。第２カム溝４２ｅは、図５に詳しく示すように、第２円筒カム４２ａの左端側外周面に第２円筒カム４２ａの円周方向に延びて形成された無端の第２左端溝４２ｆと、第２円筒カム４２ａの右端側外周面に第２円筒カム４２ａの円周方向に延びて形成された無端の第２右端溝４２ｇと、第２左端溝４２ｆと第２右端溝４２ｇとの間に第２円筒カム４２ａの円周方向に延びて形成され一端が第２左端溝４２ｆに接続され他端が第２右端溝４２ｇに接続された第２連結溝４２ｈと、第２連結溝４２ｈと第２右端溝４２ｇとの間に一端が第２連結溝４２ｈに接続され他端が第２右端溝４２ｇに接続され更に略Ｖ字状の第２Ｖ字溝４２ｉと、第２Ｖ字溝４２ｉの途中のコーナ部に形成された第２凹部４２ｊとを有する。
【手続補正６】
【補正対象書類名】明細書
【補正対象項目名】００３６
【補正方法】変更
【補正の内容】
【００３６】
上記第２連結溝４２ｈは、第２左端溝４２ｆから第２右端溝４２ｇに向って左回りの螺旋状に形成される。また第２左端溝４２ｆには第２円筒カム４２ａの左端側に湾曲する第２左湾部４２ｋが形成され、第２連結溝４２ｈの第２左端溝４２ｆへの接続部は第２左端溝４２ｆの第２左湾部４２ｋの一端に一致して形成される。そして第２左端溝４２ｆと第２連結溝４２ｈとが略一直線となるように、第２左端溝４２ｆと第２連結溝４２ｈとが接続される。また第２右端溝４２ｇには第２円筒カム４２ａの右端側に湾曲する第２右湾部４２ｍが形成され、第２Ｖ字溝４２ｉの第２右端溝４２ｇへの接続部は第２右端溝４２ｇの第２右湾部４２ｍの一端に一致して形成される。そして第２右端溝４２ｇと第２Ｖ字溝４２ｉの端部とが略一直線となるように、第２右端溝４２ｇと第２Ｖ字溝４２ｉとが接続される。また第２Ｖ字溝４２ｉの一端は第２左端溝４２ｆと第２連結溝４２ｈとの接続部近傍で第２連結溝４２ｈに接続され、第２Ｖ字溝４２ｉの他端は第２右端溝４２ｇと第２連結溝４２ｈとの接続部近傍で第２右端溝４２ｇに接続される。第２凹部４２ｊは第２転動体４２ｄのほぼ半分を収容可能な大きさに形成される。第２転動体４２ｄの残りの半分は第２ガイド溝４２ｂに収容される。更に第２Ｖ字溝４２ｉは、第２凹部４２ｊに収容された第２転動体４２ｄが第２円筒カム４２ａの回転により第２右端溝４２ｇではなく第２連結溝４２ｈに導かれるように若干変形したＶ字状に形成される。これにより、操作コード１４を他方向に僅かに操作して、第２巻取りドラム２２ｃを一方向に回転させ第２昇降コード２２ｄにより第２生地１２を上昇させた後に、操作コード１４から手を離すと、第２ストッパ４２は第２昇降コード２２ｄを繰出して第２生地１２を下降させる方向への第２巻取りドラム２２ｃの回転を停止し、この状態から操作コード１４を他方向に僅かに操作して、第２巻取りドラム２２ｃを再び一方向に回転させ第２昇降コード２２ｄにより第２生地１２を再び上昇させた後に、操作コード１４から手を離すと、第２ストッパ４２は第２昇降コード２２ｄを繰出して第２生地１２を下降させる方向への第２巻取りドラム２２ｃの回転を許容するように構成される。
【手続補正７】
【補正対象書類名】明細書
【補正対象項目名】００５１
【補正方法】変更
【補正の内容】
【００５１】
第１カム１７１は第１カムシャフト１３１ｅと一体的に形成される（図８、図９及び図１１）。これにより第１カム１７１は第１入力軸２１ａに対して回転不能に構成される。また第１カム１７１は第１円筒部１３１ｃ内に位置するように第１入力軸２１ａの半径方向外側に放射状に延びる３本の第１腕部１７１ａからなる。更にこれらの第１腕部１７１ａは基端から先端に向うに従って先細りに形成され、隣り合う第１腕部１７１ａのなす角度はそれぞれ同一（１２０度）に設定される。第１係合部１３１ｂはこの実施の形態では３個設けられ、これらの第１係合部１３１ｂは略Ｌ字状に形成される。３個の第１係合部１３１ｂの基端は３本の第１支軸１６１ｃに回動可能にそれぞれ嵌入される。これにより３個の第１係合部１３１ｂは第１クラッチドラム１６１の内側面に一対の第１円板１６１ａ，１６１ｂにより挟まれた状態で回動可能に取付けられる。また３個の第１係合部１３１ｂの屈曲した外角部は３本の第１腕部１７１ａの基端にそれぞれ対向し、３個の第１係合部１３１ｂの先端は３個の第１被係合部１３１ｄにそれぞれ対向するように構成される。更にプーリ１２６の一方向への回転時に、第１腕部１７１ａが第１係合部１３１ｂに係合することにより、第１係合部１３１ｂが第１支軸１６１ｃを中心に一方向に回転し、第１係合部１３１ｂの先端が第１入力軸２１ａの半径方向外側に突出して第１被係合部１３１ｄに係合し、プーリ１２６の他方向への回転時又は第１出力軸２１ｂの回転時に、第１係合部１３１ｂが第１支軸１６１ｃを中心に他方向に回転し、第１係合部１３１ｂの先端が第１入力軸２１ａの半径方向内側に引込んで第１被係合部１３１ｄに係合しないように構成される。即ち、プーリ１２６の一方向への回転時に、第１係合部１３１ｂが第１入力軸２１ａの半径方向外側に回転することにより第１出力軸２１ｂが第１入力軸２１ａに係合して第１入力軸２１ａと同期回転し、プーリ１２６の他方向への回転時又は第１出力軸２１ｂの回転時に、第１係合部１３１ｂが第１入力軸２１ａの半径方向内側に回転することにより第１出力軸２１ｂの第１入力軸２１ａへの係合が解除されて第１入力軸２１ａと同期回転しなくなるように構成される。なお、第１係合部１３１ｂが第１入力軸２１ａの半径方向内側に最も引込んだ状態（図９（ａ））から第１入力軸２１ａの半径方向外側に最も突出した状態（図９（ｆ））までに第１腕部１７１ａが回転する角度θは約５０度と極めて小さい。
【手続補正８】
【補正対象書類名】明細書
【補正対象項目名】００５３
【補正方法】変更
【補正の内容】
【００５３】
第２カム１７２は第２カムシャフト１３２ｅと一体的に形成される（図８、図９及び図１１）。これにより第２カム１７２は第２入力軸２２ａに対して回転不能に構成される。また第２カム１７２は第２円筒部１３２ｃ内に位置するように第２入力軸２２ａの半径方向外側に放射状に延びる３本の第２腕部１７２ａからなる。更にこれらの第２腕部１７２ａは基端から先端に向うに従って先細りに形成され、隣り合う第２腕部１７２ａのなす角度はそれぞれ同一（１２０度）に設定される。第２係合部１３２ｂはこの実施の形態では３個設けられ、これらの第２係合部１３２ｂは略Ｌ字状に形成される。３個の第２係合部１３２ｂの基端は３本の第２支軸１６２ｃに回動可能にそれぞれ嵌入される。これにより３個の第２係合部１３２ｂは第２クラッチドラム１６２の内側面に一対の第２円板１６２ａ，１６２ｂにより挟まれた状態で回動可能に取付けられる。また３個の第２係合部１３２ｂの屈曲した外角部は３本の第２腕部１７２ａの基端にそれぞれ対向し、３個の第２係合部１３２ｂの先端は３個の第２被係合部１３２ｄにそれぞれ対向するように構成される。更にプーリ１２６の他方向への回転時に、第２腕部１７２ａが第２係合部１３２ｂに係合することにより、第２係合部１３２ｂが第２支軸１６２ｃを中心に一方向に回転し、第２係合部１３２ｂの先端が第２入力軸２２ａの半径方向外側に突出して第２被係合部１３２ｄに係合し、プーリ１２６の一方向への回転時又は第２出力軸２２ｂの回転時に、第２係合部１３２ｂが第２支軸１６２ｃを中心に他方向に回転し、第２係合部１３２ｂの先端が第２入力軸２２ａの半径方向内側に引込んで第２被係合部１３２ｄに係合しないように構成される。即ち、プーリ１２６の他方向への回転時に、第２係合部１３２ｂが第２入力軸２２ａの半径方向外側に回転することにより第２出力軸２２ｂが第２入力軸２２ａに係合して第２入力軸２２ａと同期回転し、プーリ１２６の一方向への回転時又は第２出力軸２２ｂの回転時に、第２係合部１３２ｂが第２入力軸２２ａの半径方向内側に回転することにより第２出力軸２２ｂの第２入力軸２２ａへの係合が解除されて第２入力軸２２ａと同期回転しなくなるように構成される。なお、第２係合部１３２ｂが第２入力軸２２ａの半径方向内側に最も引込んだ状態（図９（ａ））から第２入力軸２２ａの半径方向外側に最も突出した状態（図９（ｆ））までに第２腕部１７２ａが回転する角度θは約５０度と極めて小さい。
【手続補正９】
【補正対象書類名】明細書
【補正対象項目名】００５８
【補正方法】変更
【補正の内容】
【００５８】
なお、上記第１及び第２の実施の形態では、日射遮蔽装置としてローマンシェードを挙げたが、横型ブラインド、プリーツスクリーン等であってもよい。また、上記第１及び第２の実施の形態では、回転部材としてプーリを挙げたが、スプロケット又はその他の回転部材であってもよい。また、上記第１及び第２の実施の形態では、遮蔽部材としてローマンシェードの生地を挙げたが、横型ブラインドのスラット、プリーツスクリーンのスクリーン等でもよい。